(57)【要約】【課題】配下に無線子機を有する中継機が存在しても、同期通信による無線親機の情報取得を行えるようにする。【解決手段】取得処理において、無線親機１０３は、無線子機１０４および中継機１０５に同報通信を行い、複数の無線子機１０４は、端末機器から取得した情報を無線親機１０３に順に送信する。最後に、中継機１０５は、配下の無線子機１０６の情報を無線親機１０３に送信する。無線親機１０３は、再取得の必要な無線子機１０４の台数および中継機１０５の配下の無線子機１０６の台数に応じて決められた、リトライ処理時の通信タイミングを中継機１０５に通知する。リトライ処理において、再取得の必要な無線子機１０４は、情報を無線親機１０３に送信する。中継機１０５は、無線子機１０６から情報を取得し、指定された通信タイミングにしたがって、この情報を無線親機１０３に送信する。【選択図】図４
2011182346.tif 000002
【特許請求の範囲】
【請求項１】
センタに通信可能に接続された無線親機と、無線親機と無線通信可能な無線子機と、無線親機と無線通信可能とされるとともに配下に無線通信可能な無線子機を有する中継機と、無線子機に接続された端末機器とを備え、無線親機は、無線子機および中継機と通信タイミングの同期をとる同期通信を行って、端末機器からの情報取得のための取得処理を実行し、取得処理から所定時間経過後に再取得のためのリトライ処理を行う無線テレメータシステムであって、無線親機は、リトライ処理のときに、中継機を介して配下の無線子機からの情報を取得することを特徴とする無線テレメータシステム。
【請求項２】
取得処理のときに、無線親機は、無線子機および中継機から情報を直接取得し、リトライ処理のときに、中継機は、配下の無線子機から情報を直接取得して、この情報を無線親機に送信することを特徴とする請求項１記載の無線テレメータシステム。
【請求項３】
無線親機は、中継機が存在する場合と存在しない場合とに応じて、リトライ処理のタイムアウト時間を異なるように設定することを特徴とする請求項１または２記載の無線テレメータシステム。
【請求項４】
無線親機は、リトライ処理のタイムアウト時間を中継機の配下の無線子機の台数に応じて設定することを特徴とする請求項１〜３のいずれかに記載の無線テレメータシステム。
【請求項５】
中継機は、取得処理のときに配下の無線子機の台数を無線親機に送信し、無線親機は、情報を再取得する無線子機の台数および中継機の配下の無線子機の台数に応じてタイムアウト時間を設定することを特徴とする請求項４記載の無線テレメータシステム。
【請求項６】
取得処理のとき、無線親機と中継機との通信が最後に行われることを特徴とする請求項１〜５のいずれかに記載の無線テレメータシステム。
【請求項７】
中継機は、リトライ処理の開始に合わせて配下の無線子機から情報を取得し、無線親機と無線子機との再取得のための通信の終了後に、無線親機に取得した情報を送信することを特徴とする請求項１〜６のいずれかに記載の無線テレメータシステム。
【発明の詳細な説明】
【技術分野】
【０００１】
本発明は、無線親機が、メータやセンサの情報を無線通信により無線子機から取得して、センタに情報を送信する無線テレメータシステムに関する。
【背景技術】
【０００２】
ガス、水道などのメータの検針値を無線通信によって端末網制御装置に伝送する無線テレメータシステムでは、端末網制御装置に無線親機（以下、メインと称する）が接続され、メータ等の端末機器が接続された複数の無線子機（以下、サブと称する）との間で無線通信が行われる。端末網制御装置は、電話回線を通じてセンタに接続される。検針値等のデータは、サブからメインに送信され、さらにメインから端末網制御装置を介してセンタに送信され、自動検針が行われる。
【０００３】
無線テレメータシステムでは、メインとサブとが無線通信を行えるように、相手のＩＤ等の情報を登録する縁組が行われる。そして、メインは、定期的に情報取得のために複数のサブと無線通信を行う。このとき、メインは、１台ずつサブと通信するのではなく、複数のサブに同期通信を用いて、同時に情報取得を行う。この同期通信として、例えば特許文献１に、メインが複数のサブに一括電文を送信し、所定のタイミングでサブが順に返信することが記載されている。
【０００４】
このように同期通信では、メインからサブに同報通信によって次の起動タイミングを通知し、各サブとメインとの通信タイミングの同期をとる。これによって、通信時間の短縮、消費電力の低減を図ることができる。
【先行技術文献】
【特許文献】
【０００５】
【特許文献１】特開２００６−３０３９４２号公報
【発明の概要】
【発明が解決しようとする課題】
【０００６】
上記の無線通信では、通常、特定小電力無線による通信が採用される。メインとサブとが直接無線通信できる場合、同期通信によって情報取得が行える。サブがメインから離れた場所に設置されている場合、無線通信が行えない。そこで、メインとサブとの間に中継機が設置される。中継機は、メインと無線通信を行うとともに、配下のサブとも無線通信を行い、メインとサブとの間でデータの送受信を中継する。
【０００７】
しかし、中継機の配下のサブとメインとは、同期合わせを行うことができず、同期通信による情報取得を行えない。そのため、メインとサブ間の通信距離を延長することができず、無線テレメータシステムの拡張が阻害される。
【０００８】
本発明は、上記に鑑み、配下にサブを有する中継機が存在しても、同期通信による情報取得を行える無線テレメータシステムの提供を目的とする。
【課題を解決するための手段】
【０００９】
本発明の無線テレメータシステムは、センタに通信可能に接続された無線親機と、無線親機と無線通信可能な無線子機と、無線親機と無線通信可能とされるとともに配下に無線通信可能な無線子機を有する中継機と、無線子機に接続された端末機器とを備え、無線親機は、無線子機および中継機と通信タイミングの同期をとる同期通信を行って、端末機器からの情報取得のための取得処理を実行し、取得処理から所定時間経過後に再取得のためのリトライ処理を行うものである。無線親機は、リトライ処理のときに、中継機を介して配下の無線子機からの情報を取得する。
【００１０】
無線親機は、中継機の配下の無線子機とは直接無線通信を行うことができない。そのため、取得処理において、無線親機は、中継機から配下の無線子機に関する情報を取得する。無線親機は、この情報に基づいて、中継機との通信タイミングを決める。その後、リトライ処理において、無線親機は、中継機を介して端末機器からの情報を取得する。
すなわち、取得処理のときに、無線親機は、無線子機および中継機から情報を直接取得し、リトライ処理のときに、中継機は、配下の無線子機から情報を直接取得して、この情報を無線親機に送信する。
【００１１】
無線親機は、中継機が存在する場合と存在しない場合とに応じて、リトライ処理のタイムアウト時間を異なるように設定する。中継機が存在しない場合、リトライ処理時に中継機を介して情報を取得する必要がない。その分、タイムアウト時間を短くできる。配下にサブを有している中継機が存在する場合、配下のサブから取得した情報を送信するための時間が必要となり、タイムアウト時間が長くなる。
【００１２】
そこで、無線親機は、リトライ処理のタイムアウト時間を中継機の配下の無線子機の台数に応じて設定する。このために、中継機は、取得処理のときに配下の無線子機の台数を無線親機に送信し、無線親機は、リトライ処理のときに情報を再取得する無線子機の台数および中継機の配下の無線子機の台数に応じて、タイムアウト時間を設定する。実際の通信時間に応じたタイムアウト時間を設定することができ、無線親機が不要に起動することを防げる。
【００１３】
取得処理のとき、無線親機と中継機との通信が最後に行われる。リトライ処理のとき、中継機は、リトライ処理の開始に合わせて配下の無線子機から情報を取得し、無線親機と無線子機との再取得のための通信の終了後に、無線親機に取得した情報を送信する。
【００１４】
このように、中継機と無線親機との通信を最後にすることにより、取得処理のときには、再取得の対象となる無線子機を確定でき、リトライ処理のタイムアウト時間やリトライ処理時の中継機の通信タイミングを正確に決めることができる。また、リトライ処理のときには、中継機は、無線親機と通信するための待機中に、配下の無線子機と通信を行って、情報を取得することができ、時間を有効に活用できる。これによって、無駄な通信がなくなる。
【発明の効果】
【００１５】
本発明によると、無線親機は中継機の配下の無線子機と直接無線通信を行えなくても、同期通信を行って、中継機を介して情報を取得することができる。したがって、情報取得のための通信を効率よく行え、通信時間の低減を図って、システム全体の省エネルギを実現できる。そして、無線親機から離れた場所に無線子機を設置しても、中継機を利用することにより、無線親機と無線子機の通信距離を延長することができ、無線テレメータシステムの拡張を図れる。
【図面の簡単な説明】
【００１６】
【図１】本発明の無線テレメータシステムの全体構成図
【図２】無線親機、無線子機および中継機の概略構成を示すブロック図
【図３】中継機が配下に無線子機を有しない場合の取得処理およびリトライ処理のシーケンスを示す図
【図４】中継機が配下に無線子機を有する場合の取得処理およびリトライ処理のシーケンスを示す図
【発明を実施するための形態】
【００１７】
本実施形態の無線テレメータシステムを図１に示す。本システムでは、ホストコンピュータ１０１、センタ網制御装置（センタＮＣＵ）１０２からなるセンタと端末側とが通信回線１０９を介して通信可能に接続される。端末側は、無線親機（以下、メインと称す）１０３と、メイン１０３と無線通信を行う無線子機（以下、サブと称す）１０４（１０４−１、１０４−２）と、メイン１０３と無線通信を行う中継機（以下、リピータと称す）１０５から構成される。リピータ１０５は、配下に無線通信可能なサブ１０６を有する。リピータ１０５および各サブ１０４、１０６に、メータ、センサ等の端末機器１０７、１０８が接続される。なお、センタと端末側との通信回線１０９として、公衆電話回線網あるいは携帯電話網が使用される。
【００１８】
メイン１０３は、図２に示すように、端末網制御装置と通信を行うためのＴ−ＮＣＵ用インターフェース２０１、識別情報等の通信に必要な情報を記憶する不揮発性メモリ２０２、ＣＰＵ２０３、無線通信を行うための無線部２０４、アンテナ２０５、ＲＯＭ２０６、ＲＡＭ２０７、電源としての電池２０８、表示部２０９、各種の設定、入力を行うためのスイッチ２１１、ボタン２１２を備えている。ＣＰＵ２０３、ＲＯＭ２０６、ＲＡＭ２０７から構成された制御部が、センタおよびサブ１０４、１０６との通信を制御する。なお、本システムでは、メイン１０３が端末網制御装置を介さずに直接センタと通信を行うが、端末網制御装置にメイン１０３が接続され、端末網制御装置がセンタと通信を行うようにしてもよい。
【００１９】
サブ１０４，１０６は、メイン１０３と同じく、不揮発性メモリ２０２、ＣＰＵ２０３、無線部２０４、アンテナ２０５、ＲＯＭ２０６、ＲＡＭ２０７、電池２０８、表示部２０９、メータインターフェース２１０、スイッチ２１１、ボタン２１２を備えている。ＣＰＵ２０３、ＲＯＭ２０６、ＲＡＭ２０７から構成された制御部が、メイン１０３との通信を制御する。リピータ１０５もサブ１０４、１０６と同じ構成とされ、制御部が、メイン１０３および配下のサブ１０６との通信を制御する。メイン１０３とサブ１０４間、メイン１０３とリピータ１０５間およびリピータ１０５と配下のサブ１０６間の無線通信は、特定小電力無線による通信方式とされる。
【００２０】
端末側において、メイン１０３、サブ１０４，１０６およびリピータ１０５が設置されると、メイン１０３とその配下のサブ１０４およびメイン１０３とリピータ１０５の間では、無線通信を行うための縁組が行われる。メイン１０３は、各サブ１０４およびリピータ１０５に対して同報通信を行う。各サブ１０４は、決められた通信タイミングにしたがって順に返信し、複数のサブ１０４が返信した後、最後にリピータ１０５が返信する。メイン１０３は、予め設置される配下のサブ１０４およびリピータ１０５の台数を認識しているので、リピータ１０５の通信タイミングを設定できる。メイン１０３とサブ１０４およびリピータ１０５がそれぞれ互いの識別情報を登録することにより、縁組は完了し、メイン１０３とサブ１０４およびリピータ１０５との間で無線通信によるデータの送受信が可能となる。
【００２１】
また、リピータ１０５とその配下のサブ１０６も同様に縁組を行い、両者間での無線通信が可能となる。これにより、メイン１０３とリピータ１０５の配下のサブ１０６とは、リピータ１０５を介して間接的に無線通信によるデータの送受信が可能となる。
【００２２】
縁組後、センタは、端末機器１０７の情報を取得する。すなわち、メイン１０３の制御部は、センタからの要求により、あるいは定期的に、端末機器１０７からの情報取得のための取得処理を実行する。この処理において、メイン１０３とこのメイン１０３に直接無線通信可能なサブ１０４との間およびメイン１０３とリピータ１０５との間で同期通信が行われる。同期通信では、メイン１０３が同報通信を用いて、サブ１０４およびリピータ１０５に次の起動タイミングと各サブ１０４の返信順序を通知することにより、各サブ１０４およびリピータ１０５との通信タイミングの同期がとられる。なお、リピータ１０５の返信順序は最後に設定されている。これにより、各サブ１０４およびリピータ１０５は、順にメイン１０３と無線通信を行い、情報を送信する。
【００２３】
また、この取得処理において、通信エラーなどにより情報を取得できない場合がある。そこで、メイン１０３は、情報の再取得のためのリトライ処理を行う。リトライ処理では、取得処理と同様に同期通信を用いて、情報を取得できなかったサブ１０４に対して送信を要求する。そして、メイン１０３の制御部は、リトライ処理のときに、リピータ１０５の配下のサブ１０６から情報を取得する。
【００２４】
サブ１０４、１０６の制御部は、取得処理あるいはリトライ処理のときに、メータからの検針値といった情報を収集し、メイン１０３により指定された通信タイミングで収集した情報をメイン１０３に送信する。リピータ１０５の制御部も同様に、配下のサブ１０６が収集した情報を取得し、各サブ１０４の送信が終了した後のタイミングで端末機器１０７からの情報をメイン１０３に送信する。メイン１０３は、各サブ１０４およびリピータ１０５から取得した情報をセンタに送信する。
【００２５】
リトライ処理は、取得処理から一定時間後に実行される。この一定時間は、取得処理が開始してから終了するまでのタイムアウト時間よりも長い時間に設定される。メイン１０３の制御部は、取得処理のタイムアウト時間を設定する。このタイムアウト時間は、メイン１０３が直接無線通信を行う配下のサブ１０４およびリピータ１０５の台数に応じて決められる。また、制御部は、リトライ処理のタイムアウト時間を設定する。このタイムアウト時間は、メイン１０３が情報を取得できなかったサブ１０４の台数およびリピータ１０５の配下のサブ１０６の台数に応じて決められる。なお、取得処理の開始からリトライ処理が終了するまでの時間、すなわち一定時間＋リトライ処理のタイムアウト時間は、定期的に行われる取得処理の間隔時間よりも短い時間とされる。
【００２６】
次に、上記の取得処理を図３にしたがって具体的に説明する。メイン１０３とサブ１０４およびリピータ１０５とは縁組済みとされ、無線通信可能な状態にある。また、このリピータ１０５は、配下にサブ１０６を有していないものとする。
【００２７】
サブ１０４およびリピータ１０５は、メイン１０３からの信号を受信できるように間欠的に起動し、受信待機状態にある。メイン１０３は、取得処理のために、同報通信を用いて、定期的、例えば５分間隔でデータを送信する。受信待機状態にあるサブ１０４およびリピータ１０５は、メイン１０３からのデータを受信する。メイン１０３からのデータには、通信タイミングの基準となる同期信号が含まれる。さらに、各サブ１０４の返信順序に関する情報も含まれる。この同期信号は、次に起動タイミングの算出基準となる。なお、リトライ処理が実行される場合は、リトライ処理の開始タイミングの算出基準となる。
【００２８】
メイン１０３からのデータを受信したサブ１０４は、データを解析し、同期合わせを行って、次の起動時間を算出する。そして、メータ等の端末機器１０７から情報を収集し、情報をメイン１０３に送信する。サブ１０４は、送信後、スタンバイに戻る。それぞれのサブ１０４は、メイン１０３から指示された順に返信を行う。すなわち、１番目のサブ１０４−１は、指示された時間に返信し、次のサブ１０４−２は、所定の時間経過後に返信する。このように各サブ１０４は、所定の時間毎に返信を行う。最後に、リピータ１０５が、端末機器１０７から収集した情報をメイン１０３に送信し、スタンバイに戻る。メイン１０３は、各サブ１０４およびリピータ１０５から取得した情報をセンタに送信し、タイムアウト時間に達するとスタンバイに戻る。なお、タイムアウト時間は、メイン１０３の配下のサブ１０４、すなわちメイン１０３と直接無線通信可能なサブ１０４およびリピータ１０５の台数に応じて設定される。
【００２９】
ここで、通信エラーなどにより、サブ１０４からメイン１０３に通信できず、情報の取得に失敗する場合がある。メイン１０３の制御部は、次の取得処理までの間に、情報を取得できなかったサブ１０３から情報を再取得するためのリトライ処理を実行する。リトライ処理は、取得処理の開始から予め決められた一定時間後に開始される。例えば、取得処理の時間間隔が５分のとき、リトライ処理の開始は取得処理開始の２分３０秒後といったようにする。
【００３０】
メイン１０３の制御部は、決められた時間になると起動し、同報通信を行う。同報通信において、各サブ１０４の起動時刻の算出基準となる同期信号が送信される。そして、制御部は、情報を再取得するサブ１０４−２を指定する。
【００３１】
一方、サブ１０４およびリピータ１０５は、取得処理のときに算出した起動タイミングに応じて起動して、メイン１０３からの同報通信を受ける。指定されたサブ１０４−２以外のサブ１０４−１およびリピータ１０５は、受信したデータを解析し、同期合わせを行った後、すぐにスタンバイに戻る。指定されたサブ１０４−２は、端末機器１０７から情報を収集して、この情報をメイン１０３に返信し、スタンバイに戻る。メイン１０３は、サブ１０４−２から取得した情報をセンタに送信し、タイムアウト時間に達するとスタンバイに戻る。なお、タイムアウト時間は、再取得を行うサブ１０４の台数に応じて設定される。
【００３２】
次に、リピータ１０５が配下に無線通信可能なサブ１０６を有している場合の取得処理およびリトライ処理を図４にしたがって説明する。リピータ１０５は、配下に１台あるいは複数のサブ１０６を有している。メイン１０３の制御部は、リトライ処理のときに、リピータ１０５の配下のサブ１０６からの情報を取得する。リピータ１０５の制御部は、リトライ処理のときに、配下のサブ１０６から情報を直接取得し、決められたタイミングでメイン１０３に情報を送信する。
【００３３】
まず、上記と同様に取得処理（図中の通常処理）が実行される。メイン１０３の配下のサブ１０４は、決められた順に情報をメイン１０３に返信する。最後にリピータ１０５が情報を返信する。リピータ１０５からの情報には、リピータ１０５の配下のサブ１０６の台数に関する情報が含まれている。
【００３４】
各サブ１０４およびリピータ１０５からの返信を受けたメイン１０３は、情報を取得できなかったサブ１０４を認識している。メイン１０３の制御部は、リピータ１０５にリトライ処理のときのメイン１０３への通信タイミングを通知する。この後、リピータ１０５はスタンバイに戻る。メイン１０３は、センタに情報を送信して、スタンバイに戻る。
【００３５】
ここで、取得処理において、リピータ１０５からの返信が最後に設定されている。リトライ処理時に、リピータ１０５は、配下のサブ１０６から情報を取得して、メイン１０３に送信する。このときの通信タイミングは、情報の再取得のためにリトライするサブ１０４の台数に応じて変化する。例えば、情報を取得できなかったサブ１０４が０台のとき、リピータ１０５は、リトライ処理のとき、待機することなく、配下のサブ１０６から情報を取得後、すぐに返信可能である。しかし、再取得の必要があるサブ１０４が３台の場合、リピータ１０５は、３台のサブ１０４の通信が終了してから返信しなければならない。このように、リピータ１０５の通信タイミングは状況に応じて可変とされる。あるいは決められた一定時間の待機が必要となる。したがって、取得処理におけるリピータ１０５の通信の順序を最後にすることにより、リトライ処理時のリピータ１０５の通信タイミングを正確に決めることができる。リピータ１０５は無駄に待機する必要がなくなり、リトライ処理の通信時間の短縮を図れるとともに、リピータ１０５やメイン１０３の起動時間を短縮でき、消費電力の低減を図れる。
【００３６】
取得処理の開始から一定時間経過すると、リトライ処理が実行される。メイン１０３は、起動して、同報通信を行う。サブ１０４およびリピータ１０５は、取得処理のときに算出した起動タイミングに応じて起動して、メイン１０３からの同報通信を受ける。再取得の対象となったサブ１０４以外のサブ１０４は、受信したデータを解析し、同期合わせを行った後、すぐにスタンバイに戻る。再取得の対象となったサブ１０４は、端末機器１０７から情報を収集して、この情報をメイン１０３に返信し、スタンバイに戻る。
【００３７】
リピータ１０５は、リトライ処理の開始タイミングに合わせて起動すると、配下のサブ１０６に起動時間合わせの同期信号を含めた同報通信を行う。配下のサブ１０６は、リピータ１０５からの通知により、リピータ１０５の起動タイミングに合わせて起動するように予め設定されている。そのため、配下のサブ１０６は、リピータ１０５に合わせて起動し、待機している。サブ１０６は、リピータ１０５からの同報通信を受信すると、同期合わせを行い、端末機器１０７から情報を収集し、この情報をリピータ１０５に送信する。
【００３８】
このとき、リピータ１０５と配下のサブ１０６との通信に用いる通信チャンネルは、メイン１０３とリピータ１０５との通信チャンネルとは異なる。例えば、メイン１０３とサブ１０４およびリピータ１０５間の通信チャンネルがａのとき、リピータ１０５と配下のサブ１０６間の通信チャンネルはｂとされる。これにより、チャンネルの輻輳を避けることができ、通信エラーの発生を防げる。
【００３９】
リピータ１０５は、指定された通信タイミングになると、配下のサブ１０６から取得した情報をメイン１０３に送信する。そして、リピータ１０５はスタンバイに戻る。メイン１０３は、センタにサブ１０４およびリピータ１０５から取得した情報を送信して、スタンバイに戻る。
【００４０】
ところで、リピータ１０５からの情報には、複数のサブ１０６の情報が含まれている。リピータ１０５からの通信時間は、取得処理のときの通信時間より長くなる。そのため、メイン１０３の制御部は、取得処理のタイムアウト時間とリトライ処理のタイムアウト時間を異なるように設定する。
【００４１】
すなわち、取得処理時には、メイン１０３の配下のサブ１０４およびリピータ１０５の送信時間分と、サブ１０４と端末機器１０７との通信時間分に基づいて、取得処理のタイムアウト時間が設定される。メイン１０３は、このタイムアウト時間だけ起動する。
リトライ処理のタイムアウト時間は、取得処理のタイムアウト時間より長く設定される。リトライ処理時には、再取得の対象となったサブ１０４の送信時間と、リピータ１０５の送信時間と、リピータ１０５と配下のサブ１０６との通信時間とが必要となる。したがって、メイン１０３の制御部は、リトライ処理のタイムアウト時間をリピータ１０５の配下にサブ１０６の台数に応じて設定する。例えば、サブ１台当たりタイムアウト時間を３秒長くする、リピータ１０５に縁組されている配下のサブ１０６の台数に関係なく、一定時間、例えばリピータ１０５と縁組可能なサブ１０６の最大台数×３秒長くする。あるいは、再取得の対象となったサブ１０４の送信時間分＋リピータ１０５の送信時間分とする。
【００４２】
以上のように、配下にサブ１０６を有しているリピータ１０５が存在する場合であっても、メイン１０３は、同期通信により、リピータ１０５を含めて複数のサブ１０４，１０６と直接的あるいは間接的に順に通信することができる。したがって、本システム内における全ての端末機器１０７からの情報を効率よく取得することができる。これにより、メイン１０３から離れた場所にサブ１０６を設置しても、リピータ１０５を利用することにより、メイン１０３とサブ１０６の通信距離を延長することができ、無線テレメータシステムの拡張を図れる。
【００４３】
また、メイン１０３の配下のサブ１０４は、取得処理のときだけでなく、リトライ処理のときにも起動する。これに対し、リピータ１０５の配下のサブ１０６は、メイン１０３とは直接通信できないので、取得処理のときには起動する必要はない。リピータ１０５の配下のサブ１０６は、リトライ処理のときにだけ起動すればよい。そのため、メイン１０３の配下のサブ１０４とリピータ１０５の配下のサブ１０６とでは、起動タイミングが異なり、メイン１０３の配下のサブ１０４は、リピータ１０５の配下のサブ１０６よりも起動回数が多くなる。リピータ１０５の配下のサブ１０６の起動回数が少なくてすむので、起動に伴う消費電力を抑えることができる。
【００４４】
なお、本発明は、上記実施形態に限定されるものではなく、本発明の範囲内で上記実施形態に多くの修正および変更を加え得ることは勿論である。メインとサブおよびリピータの無線通信として、無線ＬＡＮ、ブルートゥース（登録商標）といった他の無線通信方式を用いてもよい。リピータは複数設置されてもよい。
【００４５】
リピータは、リトライ処理のときに配下のサブから情報を取得するが、取得処理のときに配下のサブから情報を取得してもよい。リピータは、取得した情報をメモリに記憶しておく。リトライ処理のとき、リピータは、情報をメモリから読み出してメインに送信する。これにより、リトライ処理時に、リピータは情報を取得する必要がなくなるので、リピータがメインに返信するまでの時間を短縮できる。リトライ処理のタイムアウト時間が短くなって、通信時間を短縮でき、メインが起動している時間が減って、消費電力を低減できる。
【符号の説明】
【００４６】
１０３    無線親機（メイン）
１０４    無線子機（サブ）
１０５    中継機（リピータ）
１０６    無線子機（サブ）
１０７    端末機器
【図１】
2011182346.tif 000003
【図２】
2011182346.tif 000004
【図３】
2011182346.tif 000005
【図４】
2011182346.tif 000006